(57)【要約】【課題】照明装置本体に装着された円管状の光源部の回動を防止することができる照明装置を提供する。【解決手段】照明装置は、光源部と、光源部を装着する照明装置本体とを備える。光源部は、円管状の透光カバーと、一面に光源を実装した基板と、基板を支持するとともに透光カバーの管軸中心から偏移して内設された支持部材と、透光カバーの両端に固定され、給電用又は接地用の端子が設けられた円管状のキャップとを有する。キャップは、キャップの管軸中心から支持部材側に偏移した位置に、照明装置本体に固定するための固定部を備える。【選択図】図５
2014182893.tif 000002
【特許請求の範囲】
【請求項１】
円管状の透光カバーと、一面に光源を実装した基板と、該基板を支持するとともに前記透光カバーの管軸中心から偏移して内設された支持部材と、前記透光カバーの両端に固定され、給電用又は接地用の端子が設けられた円管状のキャップとを有する光源部と、該光源部を装着する照明装置本体とを備える照明装置において、
前記キャップは、
該キャップの管軸中心から前記支持部材側に偏移した位置に、前記照明装置本体に固定するための固定部を備えることを特徴とする照明装置。
【請求項２】
前記固定部は、
前記キャップの外周面から一方の側方にのみ突出して設けられていることを特徴とする請求項１に記載の照明装置。
【請求項３】
前記固定部は、
前記照明装置本体の表面に装着する装着部を備え、
該装着部に、前記透光カバーの管軸方向と平行な長孔を形成してあり、
前記照明装置本体は、
前記長孔に対応する位置にねじ孔を形成してあることを特徴とする請求項１又は請求項２に記載の照明装置。
【請求項４】
前記固定部は、
前記キャップの外周に設けた適長の支持部と、
該支持部の端部を屈曲させた屈曲部と、
該屈曲部の先端に設けた爪部と
を備え、
前記照明装置本体は、
前記爪部を嵌合する嵌合孔を備えることを特徴とする請求項１又は請求項２に記載の照明装置。
【請求項５】
前記嵌合孔は、
前記透光カバーの管軸方向と平行な長孔であることを特徴とする請求項４に記載の照明装置。
【発明の詳細な説明】
【技術分野】
【０００１】
本発明は、円管状の光源部と、該光源部を装着する照明装置本体とを備える照明装置に関する。
【背景技術】
【０００２】
近年、発光ダイオード（ＬＥＤ）の高輝度化に伴い、蛍光灯などの光源に代えて、低消費電力、長寿命等の特性を有するＬＥＤが光源として照明装置などに用いられるようになりつつある。
【０００３】
従来、直管形の蛍光灯を備える照明装置は、蛍光灯の両端に口金を設けてあり、口金には、給電用のランプピンを固定してある。蛍光灯を照明装置本体に装着する場合には、照明装置本体に取り付けられたランプソケットに蛍光灯を装着する。具体的には、ランプソケットに設けたガイド溝に蛍光灯のランプピンを挿入し、蛍光灯を約９０度回転させることにより、ランプピンとランプソケット内の導電接触片が接触して蛍光灯に給電することが可能となる（特許文献１を参照）。
【０００４】
一方で、従来の蛍光灯の代替品として、ＬＥＤを用いた直管形のＬＥＤランプが製品化されている。このようなＬＥＤランプは、ＬＥＤを実装した基板を円管状の透光カバーに内設し、給電用又は接地用の端子を固定したキャップを透光カバーの両端に設けている。ＬＥＤランプを照明装置本体に取り付ける場合には、例えば、ランプソケットに設けたガイド溝にＬＥＤランプの端子を挿入し、ＬＥＤランプを約９０度回転させることにより、端子とランプソケット内の導電接触片が接触してＬＥＤランプに給電することができる。
【先行技術文献】
【特許文献】
【０００５】
【特許文献１】特許第４４８８６４９号公報
【発明の概要】
【発明が解決しようとする課題】
【０００６】
しかしながら、ＬＥＤランプでは、ＬＥＤからの光を円管状の透光カバーの周面の広い範囲から放出することができるよう、透光カバーの管軸中心（円管状の断面の中心）から偏移した位置にＬＥＤを実装した基板を配置している。そして、照明装置本体にＬＥＤランプを装着した場合には、ＬＥＤからの光を下方に放出させるので、基板の位置は透光カバーの管軸中心より上側に配置される。また、基板を透光カバー内に固定するための部材、放熱用の部材なども必要となり、基板及びこれらの部材により、ＬＥＤランプの重心位置が管軸中心より上側になる。このため、振動等が外部から加えられた場合、ＬＥＤランプを回動させる力が作用し、結果として端子が導電接触片と非接触となってＬＥＤランプが消灯するおそれがある。また、ＬＥＤランプを回動させる力が強くなると、端子がランプソケットから外れてＬＥＤランプが落下するおそれもある。
【０００７】
本発明は斯かる事情に鑑みてなされたものであり、照明装置本体に装着された円管状の光源部の回動を防止することができる照明装置を提供することを目的とする。
【課題を解決するための手段】
【０００８】
本発明に係る照明装置は、円管状の透光カバーと、一面に光源を実装した基板と、該基板を支持するとともに前記透光カバーの管軸中心から偏移して内設された支持部材と、前記透光カバーの両端に固定され、給電用又は接地用の端子が設けられた円管状のキャップとを有する光源部と、該光源部を装着する照明装置本体とを備える照明装置において、前記キャップは、該キャップの管軸中心から前記支持部材側に偏移した位置に、前記照明装置本体に固定するための固定部を備えることを特徴とする。
【０００９】
本発明に係る照明装置は、前記固定部は、前記キャップの外周面から一方の側方にのみ突出して設けられていることを特徴とする。
【００１０】
本発明に係る照明装置は、前記固定部は、前記照明装置本体の表面に装着する装着部を備え、該装着部に、前記透光カバーの管軸方向と平行な長孔を形成してあり、前記照明装置本体は、前記長孔に対応する位置にねじ孔を形成してあることを特徴とする。
【００１１】
本発明に係る照明装置は、前記固定部は、前記キャップの外周に設けた適長の支持部と、該支持部の端部を屈曲させた屈曲部と、該屈曲部の先端に設けた爪部とを備え、前記照明装置本体は、前記爪部を嵌合する嵌合孔を備えることを特徴とする。
【００１２】
本発明に係る照明装置は、前記嵌合孔は、前記透光カバーの管軸方向と平行な長孔であることを特徴とする。
【発明の効果】
【００１３】
本発明によれば、円管状の光源部の回動を防止することができる。
【図面の簡単な説明】
【００１４】
【図１】実施の形態１の照明装置の外観の一例を示す側面図である。
【図２】実施の形態１の光源部の構成の一例を示す側面図である。
【図３】実施の形態１の照明装置の要部の一例を示す要部断面図である。
【図４】基板の一面側の平面図である。
【図５】実施の形態１のキャップの構成の一例を示す外観斜視図である。
【図６】実施の形態１のＬＥＤランプを照明装置本体に装着する手順の一例を示す説明図である。
【図７】実施の形態１のキャップの取付状態の第１例を示す要部側面図である。
【図８】実施の形態１のキャップの取付状態の第２例を示す要部側面図である。
【図９】実施の形態２のキャップの構成の一例を示す外観斜視図である。
【図１０】実施の形態２のランプソケット付近の外観斜視図である。
【図１１】実施の形態２のＬＥＤランプを照明装置本体に装着した状態の一例を示す説明図である。
【図１２】実施の形態３のキャップの構成の一例を示す外観斜視図である。
【図１３】実施の形態３のランプソケット付近の外観斜視図である。
【図１４】実施の形態３のＬＥＤランプを照明装置本体に装着する手順の一例を示す説明図である。
【発明を実施するための形態】
【００１５】
（実施の形態１）
以下、本発明をその実施の形態を示す図面に基づいて説明する。図１は実施の形態１の照明装置１００の外観の一例を示す側面図であり、図２は実施の形態１の光源部５０の構成の一例を示す側面図であり、図３は実施の形態１の照明装置１００の要部の一例を示す要部断面図である。照明装置１００は、照明装置本体１０、円管状の光源部としてのＬＥＤランプ５０などを備える。ＬＥＤランプ５０のワット（Ｗ）数は、例えば、２０Ｗ、４０Ｗ、１００Ｗなどである。
【００１６】
照明装置本体１０は、断面形状が略台形状であり、ＬＥＤランプ５０より若干長い寸法を有する。照明装置本体１０は、天井などに取り付けられ、材質は、例えば、金属製であるが、合計樹脂を用いてもよい。照明装置本体１０の長手方向の両端には、ＬＥＤランプ５０を照明装置本体１０に対向させて装着するためのランプソケット２１、２２を設けてある。
【００１７】
ＬＥＤランプ５０は、円管状の透光カバー６０を備える。透光カバー６０の一端側には、１個の接地端子１が固定されたキャップ７０を固定してある。また、透光カバー６０の他端側には、２個の給電端子２が固定されたキャップ８０を固定してある。キャップ７０、８０は、片側（外側）の端部が閉塞した円管状をなす。
【００１８】
透光カバー６０は、耐候性と透光性に優れ、光の取り出し効率が高い合成樹脂であり、例えば、ポリカーボネートを用いることができる。また、キャップ７０、８０は、耐熱性と成形性等に優れた合成樹脂として、例えば、ポリブチレンテレフタレート（ＰＢＴ）を用いることができる。なお、透光カバー６０は、例えば、半透明の乳白色とすることができる。また、透光カバー６０及びキャップ７０、８０の材質は上述の例に限定されない。
【００１９】
ソケット２１は、ＬＥＤランプ５０を装着する際に、接地端子１を案内するためのガイド溝、接地端子１と電気的に接触する導電接触片（いずれも不図示）を有する。また、ソケット２２は、ＬＥＤランプ５０を装着する際に、給電端子２を案内するためのガイド溝、給電端子２と電気的に接触する導電接触片（いずれも不図示）を有する。
【００２０】
ＬＥＤランプ５０を照明装置本体１０に装着した状態において、図３に示すように、円管状の透光カバー６０の内側には、透光カバー６０の管軸中心（符号Ａで示す、透光カバー６０の断面の中心）から上方へ偏移した位置に支持部材４２を内設してある。また、支持部材４２は、一面にＬＥＤモジュール４１を実装した基板４０を支持する。また、ＬＥＤモジュール４１の発光方向が透光カバー６０の管軸中心Ａに向くように基板４０を配置してある。すなわち、ＬＥＤモジュール４１が実装された基板４０の一面が透光カバー６０の管軸中心Ａの方へ向くように基板４０を配置してある。
【００２１】
図４は基板４０の一面側の平面図である。図４に示すように、基板４０の一面（実装面）には、複数のＬＥＤモジュール４１を実装してある。基板４０の材質は、アルミニウムでもよく、樹脂製の基板４０を用いてもよい。透光カバー６０が比較的長い場合には、基板４０を、透光カバー６０内に複数枚並べて配置してよく、透光カバー６０の長さが余り長くない場合には、１枚の基板４０を透光カバー６０内に配置してもよい。ＬＥＤモジュール４１は、白色系のＬＥＤモジュールであり、例えば、昼光色の光を放出することができる。
【００２２】
基板４０を透光カバー６０内に配置して支持するための支持部材４２は、あくまで一例であって、図３の例に限定されるものではない。また、支持部材４２が、ＬＥＤモジュール４１で発生する熱を放熱する放熱板を兼用してもよく、支持部材４２の他に放熱部材を設けてもよい。また、支持部材４２には、キャップ７０、８０を固定するためのねじを止めるねじ孔を設けることもできる。
【００２３】
図３からわかるように、透光カバー６０の内側には、ＬＥＤランプ５０の重量の大部分を占めるＬＥＤモジュール４１、基板４０、支持部材４２などが、管軸中心Ａより上側に存在する。すなわち、ＬＥＤランプ５０の重心位置は、透光カバー６０の管軸中心Ａよりも上側になる。このため、照明装置１００に外部から振動が加わった場合、照明装置本体１０に装着されたＬＥＤランプ５０は、振動による力で重心位置が下方に移動すべく、回動する可能性がある。本実施の形態では、このような振動が加わった場合でもＬＥＤランプ５０が回動しないようにすることができる。以下、ＬＥＤランプ５０の回動防止の具体的な構成について説明する。
【００２４】
図５は実施の形態１のキャップ８０の構成の一例を示す外観斜視図である。なお、以下では、キャップ８０について説明するが、キャップ７０についても同様の構成を有するので、キャップ７０についての説明は省略する。
【００２５】
キャップ８０は、一端が閉塞した円管状のキャップ本体８２、キャップ本体８２より若干拡径の円環部８１、円環部８１の外周に設けた適長の支持部８３、支持部８３の端部に設けられ、後述の照明装置本体１０の表面１１に装着する装着部８４などを有する。また、キャップ本体８２の閉塞した一端（端面）には、所定の間隔で配置された給電用の端子２を固定してある。また、キャップ本体８２には、キャップ８０を透光カバー６０内の支持部材（不図示）にねじ止めするためのねじ孔８６を形成してある。
【００２６】
装着部８４は、直方体状をなし、装着部８４の高さは、ＬＥＤランプ５０を照明装置本体１０に装着した場合に、照明装置本体１０の表面１１が、装着部８４に当接又は近接するのに十分な寸法を有する。
【００２７】
また、装着部８４には、長孔８５を形成してある。長孔８５は、その長手方向が、透光カバー６０の管軸方向と平行になるように形成してある。なお、図５の例では、長孔８５の一端側には開口を形成してあるが、これに限定されるものではなく、開口を形成しない構成であってもよい。図５の例において、支持部８３、装着部８４及び長孔８５が、固定部を構成する。なお、円環部８１に代えて、キャップ本体８２の長さを円環部８１の長さ分だけ長くした構成でもよい。また、キャップ本体８２、円環部８１、支持部８３及び装着部８４を一体成形することもできる。
【００２８】
図５において、透光カバー６０内の基板４０は、ねじ孔８６を繋ぐ線分と、２つの端子２を繋ぐ線分との間に、該線分と平行に配置されている。つまり、支持部８３及び装着部８４（固定部）は、キャップ８０の管軸中心（例えば、２つの端子２の間の中点付近）から支持部材４２側に偏心した位置に設けられている。
【００２９】
長孔８５にねじを挿通し、挿通したねじを照明装置本体１０に設けられたねじ孔（不図示）に締め付けることにより、キャップ８０を照明装置本体１０に確実に固定することができ、ＬＥＤランプ５０の回動を防止することができる。
【００３０】
また、固定部としての支持部８３、装着部８４及び長孔８５は、キャップ８０の外周面から一方の側方にのみ突出して設けられている。これにより、ＬＥＤランプ５０を回転して取り付ける際の回転方向が規定されるので、容易かつ確実にＬＥＤランプ５０を正しい向きに取り付けることができる。
【００３１】
図６は実施の形態１のＬＥＤランプ５０を照明装置本体１０に装着する手順の一例を示す説明図である。図６の例では、簡略化のため、照明装置本体１０とキャップ８０との位置関係だけを例示し、ランプソケット２１、２２などは省略している。
【００３２】
図６Ａに示すように、ＬＥＤランプ５０を照明装置本体１０に装着する場合、ＬＥＤランプ５０を照明装置本体１０の下方から符号Ｓ１で示すように上方に持ち上げ、ＬＥＤランプ５０の端子１、２をランプソケット２１、２２のガイド溝（不図示）に挿入する。図６Ａに示す状態では、透光カバー６０内の基板４０は上下方向（縦方向）に配置された状態となっている。なお、固定部（支持部８３及び装着部８４など）が、キャップ８０の外周面から一方の側方にのみ突出して設けられているので、仮に、図６Ａの状態のように固定部が下側ではなく、固定部が上側（照明装置本体１０側）になるよう（ＬＥＤランプ５０を１８０度反対になるよう）にしてＬＥＤランプ５０を上方に持ち上げた場合には、固定部が照明装置本体１０の表面１１に当たり、ＬＥＤランプ５０の端子１、２をランプソケット２１、２２のガイド溝（不図示）に挿入することができない。従って、必然的に、ＬＥＤランプ５０を図６Ａに示す方向から取り付けることになり、容易かつ確実にＬＥＤランプ５０を正しい向きに取り付けることができる。
【００３３】
次に、図６Ｂに示すように、ＬＥＤランプ５０の端子１、２をランプソケット２１、２２のガイド溝に挿入された状態で、装着部８４を照明装置本体１０の表面１１の方向へ近づけるべく符号Ｓ２で示す向きにＬＥＤランプ５０を略９０度回転させる。ＬＥＤランプ５０を符号Ｓ２で示すように、略９０度回転させることにより、ＬＥＤランプ５０の端子１、２は、ランプソケット２１、２２内の導電接触片に接触する。なお、導電接触片は、弾性を有しており、付勢力によりＬＥＤランプ５０の端子１、２を押圧して保持する。
【００３４】
符号Ｓ２で示す方向にＬＥＤランプ５０を略９０度回転することにより、図６Ｃに示す状態となる。すなわち、装着部８４は、照明装置本体１０の表面に当接又は近接した状態となる。また、図６Ｃに示す状態では、透光カバー６０内の基板４０は左右方向（横方向）に配置された状態となり、基板４０の実装面（ＬＥＤモジュール４１を実装した面）は下方を向く。図６Ｃに示す状態で、ねじを長孔８５に挿通し、挿通したねじを照明装置本体１０に設けられたねじ孔（不図示）に締め付けることにより、ＬＥＤランプ５０を照明装置本体１０に確実に固定することができ、ＬＥＤランプ５０の回動を防止することができる。
【００３５】
また、支持部８３及び装着部８４（固定部）は、キャップ８０の管軸中心から支持部材４２側に偏心した位置に設けられているので、図６Ｂの状態において、ＬＥＤランプ５０を符号Ｓ２の方向と反対向きに回転してもＬＥＤランプ５０を照明装置本体１０に固定することができないので、ＬＥＤランプ５０の上下を逆さまにして、ＬＥＤモジュール４１の実装面が照明装置本体１０側に向いて取り付けてしまう事態を防止することができる。
【００３６】
図７は実施の形態１のキャップ８０の取付状態の第１例を示す要部側面図である。図７の例では、簡略化のため、照明装置本体１０の表面１１とキャップ８０との位置関係だけを例示し、ランプソケット２２などは省略している。図７に示すように、ＬＥＤランプ５０の端子（図７の例では、端子２のみ例示）をランプソケット（不図示）の導電接触片に接触させて保持した状態において、装着部８４の一面は照明装置本体１０の表面に当接又は近接している。そして、ねじ３を長孔８５に挿通させて、挿通したねじ３を照明装置本体１０のねじ孔に締結することにより、ＬＥＤランプ５０を照明装置本体１０に回動不可に固定することができる。
【００３７】
また、装着部８４に形成された長孔８５は、透光カバー６０の管軸方向（図７において、左右方向、あるいは符号Ｂで示す方向）に平行な長手寸法（符号ｄで示す寸法）を有している。このため、照明装置本体１０に締結されたねじ３に対して、装着部８４は、符号Ｂで示す方向に摺動することが可能となる。すなわち、ＬＥＤモジュール４１を点灯及び消灯させた場合のＬＥＤモジュール４１で発生する熱の有無による温度変化で、透光カバー６０が伸縮した場合でも、装着部８４が照明装置本体１０の表面１１に沿って符号Ｂの方向に摺動することができるので、熱による透光カバー６０の変形を防止することができる。
【００３８】
図８は実施の形態１のキャップ８０の取付状態の第２例を示す要部側面図である。図８に例示する第２例は、装着部８４と照明装置本体１０との間に弾性部材５を介装している点、ねじ３に代えて段付きねじ４を用いる点で図７に例示する第１例と相違する。
【００３９】
弾性部材５は、ウレタン樹脂、合成ゴムなどの弾性を有する材質で成形され、装着部５４の平面視の形状と略同等の形状を有し、装着部８４の長孔８５の位置に合わせて長孔を形成してある。
【００４０】
段付きねじ４は、所要長さの中間部４０１及びねじ部４０２の２段構成となっている。中間部４０１の長さは、装着部８４の厚み寸法（図８の例で縦方向の寸法）よりも若干長くなっている。ねじ部４０２は、照明装置本体１０に形成されたねじ孔に締結される。
【００４１】
段付きねじ４を長孔８５に挿通して締め付けた場合、中間部４０１の先端が照明装置本体１０の表面１１に当接した状態で段付きねじ４が止まる。中間部４０１の長さは装着部８４の厚みより若干長いので、装着部８４と照明装置本体１０との間には隙間が形成される。そして、当該隙間と同等又は若干厚みの厚い弾性部材５を、装着部８４と照明装置本体１０との間に介装することにより、装着部８４と照明装置本体１０との間のガタを吸収することができ、装着部８４を照明装置本体１０に安定的に固定することができる。また、装着部８４と照明装置本体１０とは直接連結した構成ではなく、間に弾性部材５を介装しているので、温度変化により透光カバー６０が管軸方向に伸縮（図８の符号Ｂで示す方向）した場合でも、キャップ８０が照明装置本体１０の表面１１に対して摺動するので、ＬＥＤランプ５０の変形を防止することができる。
【００４２】
なお、図８の例において、段付きねじ４に代えて、通常のねじ３を用いることもできる。ねじ３を用いた場合でも、装着部８４と照明装置本体１０との間に弾性部材５を介装してあるので、装着部８４が照明装置本体１０の表面１１に対して摺動しやすくなる。このため、温度変化により透光カバー６０が管軸方向に伸縮した場合に、キャップ８０が照明装置本体１０の表面１１に対して摺動するので、ＬＥＤランプ５０の変形を防止することができる。
【００４３】
（実施の形態２）
図９は実施の形態２のキャップ８０の構成の一例を示す外観斜視図であり、図１０は実施の形態２のランプソケット２２付近の外観斜視図である。なお、以下では、キャップ８０について説明するが、キャップ７０についても同様の構成を有するので、キャップ７０についての説明は省略する。なお、実施の形態１と同様の箇所は、同一符号を付して説明を省略する。実施の形態２では、実施の形態１と異なり、ねじが不要となる。
【００４４】
実施の形態２のキャップ８０は、一端が閉塞した円管状のキャップ本体８２、キャップ本体８２より若干拡径の円環部８１、円環部８１の外周に設けた適長の支持部８７、支持部８７の端部を屈曲させた屈曲部８８、屈曲部８８の先端に設けた爪部８９などを有する。支持部８７、屈曲部８８及び爪部８９が固定部をなす。
【００４５】
図９の例においても、透光カバー６０内の基板４０は、ねじ孔８６を繋ぐ線分と、２つの端子２を繋ぐ線分との間に、該線分と平行に配置されている。つまり、支持部８７、屈曲部８８及び爪部８９（固定部）は、キャップ８０の管軸中心（例えば、２つの端子２の間の中点付近）から支持部材４２側に偏心した位置に設けられている。
【００４６】
また、３個の爪部８９は、透光カバー６０の管軸方向に対して平行に併設してある。なお、爪部８９の数は３個に限定されるものではなく、１個、２個、あるいはその他の数であってもよい。
【００４７】
図１０に示すように、照明装置本体１０の表面１１の爪部８９に対応する位置には、爪部８９を嵌合する嵌合孔１２を形成してある。爪部８９が透光カバー６０の管軸方向に並んで設けられているので、嵌合孔１２は、透光カバー６０の管軸方向と平行な長孔である。
【００４８】
図１１は実施の形態２のＬＥＤランプ５０を照明装置本体１０に装着した状態の一例を示す説明図である。図１１の例では、簡略化のため、照明装置本体１０とキャップ８０との位置関係だけを例示し、ランプソケット２１、２２などは省略している。
【００４９】
図１１に示す状態は、ＬＥＤランプ５０の端子１、２が、ランプソケット２１、２２内の導電接触片に接触した状態である。この場合も、導電接触片は、弾性を有しており、付勢力によりＬＥＤランプ５０の端子１、２を押圧して保持する。
【００５０】
図１１に示す状態では、透光カバー６０内の基板４０は左右方向（横方向）に配置された状態となり、基板４０の実装面（ＬＥＤモジュール４１を実装した面）は下方を向く。
【００５１】
支持部８７の一面は、照明装置本体１０の表面１１に当接又は近接し、屈曲部８８は嵌合孔１２に挿通され、爪部８９は嵌合孔１２に嵌合してある。より具体的には、爪部８９は先端部の肉厚が薄くなるようにテーパ状をなす。爪部８９が照明装置本体１０の表面１１の反対側に係止することにより、キャップ８０、すなわちＬＥＤランプ５０の管軸回りの回動を防止することができる。また、実施の形態２では、ねじが不要となり、ＬＥＤランプ５０の装着作業が一層容易になる。
【００５２】
また、実施の形態２においても、支持部８７、屈曲部８８及び爪部８９（固定部）は、キャップ８０の管軸中心から支持部材４２側に偏心した位置に設けられているので、ＬＥＤランプ５０を照明装置本体１０に装着する際、実施の形態１と同様に、ＬＥＤランプ５０の回転方向が一義的に定められるので、ＬＥＤランプ５０の上下を逆さまにして、ＬＥＤモジュール４１の実装面が照明装置本体１０側に向いて取り付けてしまう事態を防止することができる。
【００５３】
また、爪部８９を透光カバー６０の管軸方向に対して平行に併設してあり、また、爪部８９に嵌合する嵌合孔１２が、透光カバー６０の管軸方向と平行な長孔であるので、キャップ８０は、透光カバー６０の管軸方向に対して移動可能となる。すなわち、ＬＥＤモジュール４１を点灯及び消灯させた場合のＬＥＤモジュール４１で発生する熱の有無による温度変化で、透光カバー６０が伸縮した場合でも、キャップ８０が照明装置本体１０の表面１１上で透光カバー６０の管軸方向に摺動することができるので、熱による透光カバー６０の変形を防止することができる。
【００５４】
また、固定部としての支持部８７、屈曲部８８及び爪部８９は、キャップ８０の外周面から一方の側方にのみ突出して設けられている。これにより、ＬＥＤランプ５０を回転して取り付ける際の回転方向が規定されるので、容易かつ確実にＬＥＤランプ５０を正しい向きに取り付けることができる。
【００５５】
図１１の例では、支持部８７は、円環部８１の外周から、２つの端子２を繋ぐ線分と平行に延設した構成となっているが、支持部８７の構成は図１１の例に限定されるものではなく、例えば、２つの端子２を繋ぐ線分とのなす角度が、例えば、３０度、４５度など０度と異なる構成であってもよい。当該角度及び支持部８７の長さを変更することにより、ＬＥＤランプ５０と照明装置本体１０の表面との離隔寸法を所望の寸法にすることができる。
【００５６】
（実施の形態３）
図１２は実施の形態３のキャップ８０の構成の一例を示す外観斜視図であり、図１３は実施の形態３のランプソケット２２付近の外観斜視図である。なお、以下では、キャップ８０について説明するが、キャップ７０についても同様の構成を有するので、キャップ７０についての説明は省略する。なお、実施の形態２と同様の箇所は、同一符号を付して説明を省略する。
【００５７】
実施の形態３のキャップ８０は、一端が閉塞した円管状のキャップ本体８２、キャップ本体８２より若干拡径の円環部８１、円環部８１の外周に設けた適長の支持部９７、支持部９７の端部を屈曲させた屈曲部９８、屈曲部９８の先端に設けた爪部９９などを有する。支持部９７、屈曲部９８及び爪部９９が固定部をなす。
【００５８】
図１２の例においても、透光カバー６０内の基板４０は、ねじ孔８６を繋ぐ線分と、２つの端子２を繋ぐ線分との間に、該線分と平行に配置されている。つまり、支持部９７、屈曲部９８及び爪部９９（固定部）は、キャップ８０の管軸中心（例えば、２つの端子２の間の中点付近）から支持部材４２側に偏心した位置に設けられている。
【００５９】
また、３個の爪部９９は、透光カバー６０の管軸方向に対して平行に併設してある。なお、爪部９９の数は３個に限定されるものではなく、１個、２個、あるいはその他の数であってもよい。
【００６０】
また、支持部９７は、円環部８１の外周から、２つの端子２を繋ぐ線分の中点で当該線分と略直交する方向に延設してある。
【００６１】
図１３に示すように、照明装置本体１０の表面１１の爪部９９に対応する位置には、表面１１から矩形状の嵌合板１３を立設してあり、嵌合板１３には、長孔状の嵌合孔１４を形成してある。爪部９９が透光カバー６０の管軸方向に並んで設けられているので、嵌合孔１４は、透光カバー６０の管軸方向と平行な長孔である。
【００６２】
図１４は実施の形態３のＬＥＤランプ５０を照明装置本体１０に装着する手順の一例を示す説明図である。図１４の例では、簡略化のため、照明装置本体１０とキャップ８０との位置関係だけを例示し、ランプソケット２１、２２などは省略している。
【００６３】
図１４Ａに示すように、ＬＥＤランプ５０の端子１、２をランプソケット２１、２２のガイド溝に挿入された状態で、支持部９７、屈曲部９８及び爪部９９（固定部）を照明装置本体１０の表面１１の方向へ近づけるべく符号Ｓ１で示す向きにＬＥＤランプ５０を略９０度回転させる。ＬＥＤランプ５０を符号Ｓ１で示すように、略９０度回転させることにより、ＬＥＤランプ５０の端子１、２は、ランプソケット２１、２２内の導電接触片に接触する。なお、導電接触片は、弾性を有しており、付勢力によりＬＥＤランプ５０の端子１、２を押圧して保持する。
【００６４】
符号Ｓ１で示す方向にＬＥＤランプ５０を略９０度回転することにより、図１４Ｂに示す状態となる。すなわち、屈曲部９８が嵌合孔１４に挿通し、爪部９９が嵌合孔１４に嵌合する。また、図１４Ｂに示す状態では、透光カバー６０内の基板４０は左右方向（横方向）に配置された状態となり、基板４０の実装面（ＬＥＤモジュール４１を実装した面）は下方を向く。爪部９９が嵌合孔１４と嵌合するので、ＬＥＤランプ５０を照明装置本体１０に確実に固定することができ、ＬＥＤランプ５０の回動を防止することができる。
【００６５】
また、実施の形態３においても、支持部９７、屈曲部９８及び爪部９９（固定部）は、キャップ８０の管軸中心から支持部材４２側に偏心した位置に設けられているので、ＬＥＤランプ５０を照明装置本体１０に装着する際、実施の形態１、２と同様に、ＬＥＤランプ５０の回転方向が一義的に定められるので、ＬＥＤランプ５０の上下を逆さまにして、ＬＥＤモジュール４１の実装面が照明装置本体１０側に向いて取り付けてしまう事態を防止することができる。
【００６６】
また、爪部９９を透光カバー６０の管軸方向に対して平行に併設してあり、また、爪部９９に嵌合する嵌合孔１４が、透光カバー６０の管軸方向と平行な長孔であるので、キャップ８０は、透光カバー６０の管軸方向に対して移動可能となる。すなわち、ＬＥＤモジュール４１を点灯及び消灯させた場合のＬＥＤモジュール４１で発生する熱の有無による温度変化で、透光カバー６０が伸縮した場合でも、キャップ８０が照明装置本体１０の表面１１上で透光カバー６０の管軸方向に摺動することができるので、熱による透光カバー６０の変形を防止することができる。
【００６７】
また、実施の形態３では、ＬＥＤランプ５０を照明装置本体１０に装着した状態で、固定部（支持部９７、屈曲部９８及び爪部９９）がキャップ８０の真上に位置するので、例えば、天井等に設置された照明装置１００のＬＥＤランプ５０を下方から見上げた場合でも、固定部がキャップ８０で遮られ視認されにくいので、美観を高めることができる。
【００６８】
上述の実施の形態１〜３では、ＬＥＤランプ５０の管軸回りの回動を防止することができるので、端子２がランプソケットの導電接触片と非接触となって、ＬＥＤモジュール４１が消灯する事態を防止することができる。また、ＬＥＤランプ５０の管軸回りの回動を防止することができるので、端子１、２がランプソケットのガイド溝に沿って移動してランプソケットから外れることを防止できるので、ＬＥＤランプ５０の落下を防止することができ、結果として安全な照明装置を提供することができる。
【００６９】
上述の実施の形態では、光源としてＬＥＤモジュールを用いる構成であったが、光源はＬＥＤモジュールに限定されるものではなく、有機ＥＬのような光源であってもよい。
【００７０】
上述の各実施例において記載されている構成は、お互いに組み合わせることが可能であり、組み合わせをすることにより、新しい技術的特徴を形成することができる。
【符号の説明】
【００７１】
１、２  端子
５  弾性部材
１０  照明装置本体
１２、１４  嵌合孔
２１、２２  ランプソケット
４０  基板
４１  ＬＥＤモジュール
４２  支持部材
５０  ＬＥＤランプ
６０  透光カバー
７０、８０  キャップ
８３、８７、９７  支持部
８４  装着部
８５  長孔
８８、９８  屈曲部
８９、９９  爪部
【図１】
2014182893.tif 000003
【図２】
2014182893.tif 000004
【図３】
2014182893.tif 000005
【図４】
2014182893.tif 000006
【図５】
2014182893.tif 000007
【図６】
2014182893.tif 000008
【図７】
2014182893.tif 000009
【図８】
2014182893.tif 000010
【図９】
2014182893.tif 000011
【図１０】
2014182893.tif 000012
【図１１】
2014182893.tif 000013
【図１２】
2014182893.tif 000014
【図１３】
2014182893.tif 000015
【図１４】
2014182893.tif 000016